(57)【要約】【課題】撮像面側の羽根室に配置されている先羽根の作動によって発生した磨耗粉が、撮像面に付着するのを抑制できるようにしたカメラ用フォーカルプレンシャッタを提供すること。【解決手段】撮像面側に配置された補助地板（２）と中間板（７）の間に配置された先羽根は、アーム（１６，１７）に羽根（１８〜２０）を枢支するための二つずつの連結軸（２１など）が、それらの頭部を補助地板（２）に摺接させるようになっている。補助地板（２）には、大きな貫通孔を塞ぐようにして、粘着シート（２８）付き補強板（２７）が、粘着シート（２８）の粘着面を羽根室に向けて取り付けられている。そのため、連結軸（２１など）に起因して露光作動中に発生し、連結軸（２１など）の頭部周辺に付着していた磨耗紛が、停止時の衝撃で飛散しても、殆どが粘着シート（２８）に付着し、開口部（２ａ）を通過し、撮像面に飛来する量を抑制することができる。【選択図】　図２
2004038117.tif 000002
【特許請求の範囲】
【請求項１】
両者の間を中間板で仕切ることによって撮影レンズ側の羽根室と撮像面側の羽根室を構成している二つの地板と、前記二つの地板のいずれか一方に枢着された複数のアームとそれらに対し複数の連結軸を介して枢支された少なくとも１枚の羽根とで構成されており該アームから突き出ている該連結軸の頭部を撮影レンズ側にして前記撮影レンズ側の羽根室に配置されている後羽根と、前記二つの地板のいずれか一方に枢着された複数のアームとそれらに対し複数の連結軸を介して枢支された少なくとも１枚の羽根とで構成されており該アームから突き出ている該連結軸の頭部を撮像面側にして前記撮像面側の羽根室に配置されている先羽根と、を備えていて、前記撮像面側の羽根室を構成している地板には、前記先羽根が露光作動を終了したとき前記連結軸の頭部と対向する領域に、粘着シートが粘着面を羽根室側にして貼付されていることを特徴とするカメラ用フォーカルプレンシャッタ。
【請求項２】
前記撮像面側の羽根室を構成している地板は、前記先羽根が露光作動を終了したとき前記連結軸の頭部と対向する領域に、貫通孔を形成しており、羽根室外から該貫通孔の縁に、粘着シートが粘着面を羽根室側にし、該貫通孔を塞ぐようにして、貼付されていることを特徴とする請求項１に記載のカメラ用フォーカルプレンシャッタ。
【請求項３】
前記粘着シートが補強板に貼付されていて、前記貫通孔を塞ぐようにして、それらを、前記貫通孔の縁に取り付けていることを特徴とする請求項２に記載のカメラ用フォーカルプレンシャッタ。
【発明の詳細な説明】
【０００１】
【発明の属する技術分野】
本発明は、先羽根と後羽根とを有しているカメラ用フォーカルプレンシャッタに関する。
【０００２】
【従来の技術】
カメラ用フォーカルプレンシャッタの中には、シャッタ地板，中間板，補助地板と称されている３枚の板部材の間に二つの羽根室を形成し、それらの羽根室内に、先羽根（群），後羽根（群）と称されている二つのシャッタ羽根を個別に配置したものが知られている。その場合、撮影レンズ側の羽根室には、先羽根が配置されることもあるし、後羽根が配置されることもある。また、それらの二つのシャッタ羽根は、露光作動に際して、露光開口を上方から下方へ作動するものもあるし、下方から上方へ作動するものもある。そして、この種のフォーカルプレンシャッタは、銀塩カメラにもデジタルスチルカメラにも採用されている。本発明は、このような二つのシャッタ羽根を有するフォーカルプレンシャッタのうち、撮影レンズ側の羽根室に後羽根を配置し、フィルムや撮像素子側となる羽根室には先羽根を配置したカメラ用フォーカルプレンシャッタに関するものである。
【０００３】
この種のフォーカルプレンシャッタの場合、各シャッタ羽根は、通常、一端をシャッタ地板に枢着された二つのアームと、それらに枢支された少なくとも１枚の羽根とで構成されている。そして、各々のアームに対する羽根の枢支構成は同じであり、アームに形成された孔と、羽根に形成された孔とを重ね、リベット部品である連結軸の先端をそれらの孔にアーム側から挿入し、その先端を、かしめ加工によって羽根に固着している。そのため、羽根と一体化された連結軸とアームとは、相互に回転可能状態になっているが、各々１枚の羽根は、二つのアームに枢支されるため、アームが作動させられたときにだけ、枢支部における相互の回転が行われるようになっている。
【０００４】
また、上記のかしめ部は、羽根の形状を工夫することによって、アーム側とは反対側の面から突き出ないようにされているが、連結軸の頭部は、アームから突き出た状態になっている。そして、二つのシャッタ羽根は、各羽根室内において各々の羽根のかしめ部を中間板に向けて配置されるため、一方のシャッタ羽根のアームは羽根よりもシャッタ地板側に配置され、他方のシャッタ羽根のアームは羽根よりも補助地板側に配置されている。そのため、各シャッタ羽根が作動するときには、特別な構成が工夫されていない限り、各連結軸の頭部は、二つの地板の羽根室側の面を摺動することになる。
【０００５】
ところで、このような構成のシャッタ羽根は、露光作動中に部材間の摺動によって磨耗粉を発生させることが知られている。そして、その磨耗粉の発生は、上記の連結軸に起因する場合が多い。即ち、連結軸は、通常、棒材を旋盤で切削して製作されるため、材質自体は余り硬くない。しかも、部品段階で表面処理加工を施してはいるが、上記のように、羽根に対してかしめるため、特別に硬くなるように加工されているわけではない。そのため、アームとの間で相対的な回転が行われると、主として連結軸から磨耗紛を発生させてしまう。また、連結軸の頭部は、上記のように、いずれかの地板に摺接するが、それらの地板が鋼材で製作されている場合には、殆どの磨耗紛は連結軸から発生するし、それらの地板が合成樹脂で製作されている場合には、殆どの磨耗紛を地板から発生させてしまう。更に、少なくともスリット形成羽根の枢支部は、通常、露光作動中に、露光開口内を横切るが、そのため、連結軸の頭部が、その都度、地板に形成された露光用開口部の周辺部に当接し、磨耗紛を発生させてしまう。
【０００６】
そして、このような磨耗紛は、銀塩カメラの場合にはフィルム面に付着し、デジタルスチルカメラの場合には、通常、撮像素子の前面に配置されたフィルタ板や透明なカバー板などの表面に付着することがあり、そのようにして付着した磨耗紛が比較的大きい場合には、好適な撮影画像が得られず、拡大して再現したとき、その不具合さが画像の一部に顕在化されてしまうようになる。特に、デジタルスチルカメラの場合には、撮像素子やフィルタ板などを含む撮像装置が、フィルムの場合とは異なり、カメラ内に固定されているため、各々の磨耗紛自体は極めて微細であったとしても、それらが蓄積されてゆき、やがては、大きな磨耗紛が付着した場合と同じようになってしまう。そのため、良好な画像が常に得られるようにするためには、撮像装置を頻繁にクリーニングする必要があった。
【０００７】
【発明が解決しようとする課題】
ところで、このような磨耗紛は、上記のように、各シャッタ羽根が高速で作動する露光作動中に発生するが、その多くは、発生と同時に空中に飛散されず、露光作動の停止時まで連結軸の頭部周辺に付着しており、その停止時に、その大きな衝撃によって飛散させられる。ところが、本発明で対象にしているフォーカルプレンシャッタの場合、後羽根は、露光作動終了時において、連結軸の頭部が撮影レンズ側に向いており、羽根がフィルムや撮像素子側を完全に覆ってしまうため、連結軸の頭部周辺に付着していた磨耗紛は、被写体側に大きく飛散され、撮像面に飛来する心配はない。
【０００８】
ところが、先羽根の場合には、露光作動終了時において、露光開口から退くと、撮像面側に配置されている地板に形成された露光用の開口部が開放状態になってしまうため、連結軸の頭部周辺に付着していた磨耗紛が、露光作動時の衝撃によって飛散すると、磨耗紛は、その開口部をくぐって撮像面に飛来し、そこに付着してしまうようになる。そして、そのような付着現象は、二つのシャッタ羽根が、露光作動時に、露光開口を上方から下方へ作動するようにした場合にも生じるが、通常の撮影においては、下方から上方へ作動する場合の方が生じ易い。
【０００９】
本発明は、このような問題点を解決するためになされたものであり、その目的とするところは、撮影レンズ側に配置されている地板と中間板との間に構成された羽根室内に後羽根が配置され、フィルムや撮像素子側に配置されている地板と中間板との間に構成された羽根室内に先羽根が配置されているにもかかわらず、露光作動中に発生し、先羽根に設けられた枢支用連結軸の頭部周辺に付着していた磨耗紛が、露光作動終了時の衝撃によって飛散しても、フィルムや撮像素子に達する量を好適に抑制できるようにしたカメラ用フォーカルプレンシャッタを提供することである。
【００１０】
【課題を解決するための手段】
上記の目的を達成するために、本発明のカメラ用フォーカルプレンシャッタは、両者の間を中間板で仕切ることによって撮影レンズ側の羽根室と撮像面側の羽根室を構成している二つの地板と、前記二つの地板のいずれか一方に枢着された複数のアームとそれらに対し複数の連結軸を介して枢支された少なくとも１枚の羽根とで構成されており該アームから突き出ている該連結軸の頭部を撮影レンズ側にして前記撮影レンズ側の羽根室に配置されている後羽根と、前記二つの地板のいずれか一方に枢着された複数のアームとそれらに対し複数の連結軸を介して枢支された少なくとも１枚の羽根とで構成されており該アームから突き出ている該連結軸の頭部を撮像面側にして前記撮像面側の羽根室に配置されている先羽根と、を備えていて、前記撮像面側の羽根室を構成している地板には、前記先羽根が露光作動を終了したとき前記連結軸の頭部と対向する領域に、粘着シートが粘着面を羽根室側にして貼付されているようにする。
【００１１】
その場合、前記撮像面側の羽根室を構成している地板は、前記先羽根が露光作動を終了したとき前記連結軸の頭部と対向する領域に、貫通孔を形成しており、羽根室外から該貫通孔の縁に、粘着シートが粘着面を羽根室側にし、該貫通孔を塞ぐようにして、貼付されているようにすると、シャッタユニットの製作の最終工程で粘着シートを貼付することができるから、最初から貼付しておく場合に比較して、安心して組立作業が行えるし、シャッタユニットから上記の地板を取り外すことなく、粘着シートの交換が行えるようになる。更にその場合、前記粘着シートが補強板に貼付されていて、前記貫通孔を塞ぐようにして、それらを、前記貫通孔の縁に取り付けているようにすると、組立時や交換時において、粘着シートの取り扱いが極めて好適となる。
【００１２】
【発明の実施の形態】
本発明の実施の形態を、図示した実施例によって説明する。尚、本実施例は、銀塩カメラにもデジタルスチルカメラにも採用することができるものであるが、便宜上、デジタルスチルカメラに採用される場合を前提にして説明する。そのため、説明中における撮像面とは、ＣＣＤなどの撮像素子の撮像面ということになるが、通常は、その前面にフィルタ板や透明なカバー板などが取り付けられているため、現実にはそれらの表面ということになる。そして、図１は、撮影レンズ側から視た実施例の平面図であって、露光作動終了直後の状態を示したものである。また、図２〜図４は、いずれも撮像面側から視た実施例の平面図であって、図２は露光作動終了直後の状態を示したものであり、図３は要部のみの説明図であり、図４はセット状態を示したものである。
【００１３】
先ず、本実施例の構成を説明する。図１に示すように、シャッタ地板１は、その略中央部に長方形を横長にした露光用の開口部１ａを有している。また、シャッタ地板１の背面側、即ち撮像素子の撮像面側には、補助地板２が配置されていて、図２に示すように、四つのビス３，４，５，６によってシャッタ地板１に取り付けられている。このうち、ビス５は、そのほかの役目も有しているが、そのことについては後述する。更に、シャッタ地板１と補助地板２との間は、シャッタ地板１に取り付けられた中間板７（周知であるため全体の形状が示されていないが、その一部が図１に示されている）によって仕切られており、シャッタ地板１と中間板７の間に後羽根の羽根室を構成し、補助地板２と中間板７の間に先羽根の羽根室を構成している。そして、それらの補助地板２と中間板７にも、シャッタ地板１の開口部１ａと重なる位置に、同じ大きさの開口部２ａ，７ａが形成されている。従って、本実施例における被写体光路用の露光開口は、それらの開口部の各々によって規制されている。
【００１４】
図１において、開口部１ａの左側の領域には、円弧状をした二つの長孔１ｂ，１ｃが形成されており、それらの下方端には、ゴム製であって平面形状がＣ字状をしている周知の緩衝部材８，９が取り付けられている。また、シャッタ地板１の撮影レンズ側の面には、軸１ｄ，１ｅ，１ｆが立設されている。そのほかにも明示されていない二つの軸が立設されていて、それらの二つの軸の先端には、ビス１０，１１によって支持板１２が取り付けられているが、それらのビス１０，１１と支持板１２は、図面を見やすくするために、二点鎖線で示してある。このほか、シャッタ地板１の羽根室側にも、軸１ｇ，１ｈ，１ｉ，１ｊが立設されている。更に、シャッタ地板１の上下位置に二つの孔１ｋ，１ｍが形成されているが、それらは、シャッタユニットをカメラ本体に取り付けるための孔である。
【００１５】
シャッタ地板１の軸１ｄには、合成樹脂製の先羽根用駆動部材１３が回転可能に取り付けられていて、図示していない周知の先羽根用駆動ばねによって、時計方向へ回転するように付勢されている。そして、この先羽根用駆動部材１３は、被押動部１３ａと、駆動ピン１３ｂと、取付部１３ｃとを有していて、駆動ピン１３ｂは、シャッタ地板１の長孔１ｂを貫通して、羽根室内に突き出ている。また、取付部１３ｃは、周知であるため図示していないが、その内部に、ばねを介在させて鉄片部材を取り付けている。その鉄片部材は、特開２００２−５５３７９号公報にも記載されているように、支持板１２に取り付けられている図示していない先羽根用電磁石に吸着されるようになっており、それによって、先羽根用駆動部材１３が、先羽根用駆動ばねの付勢力に抗して、露光作動開始位置に保持されるようになっている。
【００１６】
シャッタ地板１の軸１ｅには、合成樹脂製の後羽根用駆動部材１４が回転可能に取り付けられていて、図示していない周知の後羽根用駆動ばねによって、時計方向へ回転するように付勢されている。そして、この後羽根用駆動部材１４は、被押動部１４ａと、駆動ピン１４ｂと、取付部１４ｃとを有していて、駆動ピン１４ｂは、シャッタ地板１の長孔１ｃを貫通して、羽根室内に突き出ている。また、取付部１４ｃは、上記の取付部１３ｃに準じた形状をしていて、図示していないが、その内部には、支持板１２に取り付けられた図示していない後羽根用電磁石に吸着される鉄片部材が、ばねを介在させて取り付けられている。
【００１７】
シャッタ地板１の軸１ｆには、合成樹脂製のセット部材１５が回転可能に取り付けられている。このセット部材１５は、押動部１５ａ，１５ｂと、被押動部１５ｃとを有していて、押動部１５ａは先羽根用駆動部材１３の被押動部１３ａを押し、押動部１５ｂは後羽根用駆動部材１４の被押動部１４ａを押すようになっている。また、このセット部材１５は、図示していない復帰ばねによって、反時計方向へ回転するように付勢されているが、図１は、その回転を図示していないストッパによって阻止され、初期位置に停止させられている状態を示したものである。
【００１８】
次に、先羽根と後羽根の構成を説明する。先羽根は、上記したように、補助地板２と中間板７との間に配置されていて、夫々の一端を軸１ｇ，１ｈに枢着された二つのアーム１６，１７と、それらの先端に向けて順に枢支された３枚の羽根１８，１９，２０で構成されており、最先端に枢支された羽根２０をスリット形成羽根としている。そして、周知のように、アーム１６に形成された孔には、先羽根用駆動部材１３の駆動ピン１３ｂが嵌合している。そして、この先羽根は、アーム１６，１７が、最も補助地板２側に配置されており、中間板７に向けて羽根２０，羽根１９，羽根１８の順に配置されている。
【００１９】
また、アーム１６，１７に対する各羽根１８〜２０の枢支構成は全て同じであって、二つずつの連結軸を用いている。そこで、周知ではあるが、スリット形成羽根２０の枢支に用いられて二つの連結軸のうち、アーム１６に対する枢支に用いられている連結軸に符号２１を付け、その枢支方法を簡単に説明する。連結軸２１は、部品段階では、段付きの軸部の一端に頭部が設けられたリベット部品である。そこで、先ず、連結軸２１の先端側から、アーム１６に形成された孔を嵌合させ、次に、羽根２０に形成された孔を嵌合させる。このとき、アーム１６は、連結軸２１の頭部に接触するまで入るが、羽根２０に形成されている孔は小さいので、連結軸２１の段部にまでしか入らない。この状態で連結軸２１の先端を、かしめ加工によって羽根２０に固着する。従って、羽根２０と連結軸は一体化されているが、アーム１６と連結軸２１は、相互に回転可能となっている。そして、かしめ部は、羽根１９と接触する面から突き出ないようにされているが、連結軸２１の頭部は、アーム１６から補助地板２側に突き出た状態になっている。
【００２０】
他方、後羽根は、シャッタ地板１と中間板７の間に配置されていて、一端を軸１ｉ，１ｊに枢着された二つのアーム２２，２３と、それらの先端に向けて順に枢支された３枚の羽根２４，２５，２６で構成されており、それらの羽根のうち、アーム２２，２３の最先端に枢支された羽根２６がスリット形成羽根である。また、アーム２２に形成された孔には、後羽根用駆動部材１４の駆動ピン１４ｂが嵌合している。そして、このような構成をした後羽根は、先羽根を裏返した状態となって、羽根室内に配置されている。従って、この後羽根は、アーム２２，２３が、最もシャッタ地板１側にあって、中間板７に向けて羽根２６，羽根２５，羽根２４の順に配置されているため、全ての連結軸の頭部は、アーム２２，２３からシャッタ地板１側に突き出た状態になっている。尚、アーム２２，２３と羽根２４〜２６との枢支構成は先羽根の場合と同じであるから説明を省略する。
【００２１】
次に、図２，図３を用いて、補助地板２の具体的な形状と、そこに取り付けられている部材について説明する。図３に示されているように、補助地板２は、合成樹脂製であって、略中央部に上記の開口部２ａが形成されている。また、三隅に形成されている孔２ｂ，２ｃ，２ｄは、既に説明したビス３，４，６によって、補助地板２をシャッタ地板１に取り付けるための孔である。開口部２ａの右上方向に円弧状の長孔２ｅが形成されているが、この長孔２ｅは、シャッタ地板１に形成されている長孔１ｃに対応した同じ形状をしており、図２に示されているように、そこには駆動ピン１４ｂの先端部が挿入されるようになっている。また、開口部２ａの右方向に二つの孔２ｆ，２ｇが形成されているが、図２に示されているように、それらにはシャッタ地板１の軸１ｈ，１ｊが挿入されるようになっている。
【００２２】
開口部２ａの右下位置には、比較的広い領域にわたって、貫通孔２ｈが形成されている。そして、その縁には、補助地板２の基準面より窪んだ段部２ｉと、基準面から隆起したフック部２ｊが形成されていて、段部２ｉには孔２ｋが形成されている。図３に示されている補強板２７は、貫通孔２ｈよりも若干大きな外形をしていて、下方位置には孔２７ａが形成されている。また、この補強板２７の背面側には、先羽根を枢支している全ての連結軸の頭部と対向する領域にわたって粘着シート２８が貼付されていて、その貼付状態において羽根室側が粘着面となっている。そして、このように粘着シート２８を貼付した補強板２７は、その一部を上記のフック部２ｊにくぐらせて段部２ｉに載置し、図２に示したビス５を孔２７ａ，２ｋに挿入して取り付けられている。従って、ビス５は、補助地板２をシャッタ地板１に取り付けると同時に、粘着シート２８付き補強板２７を補助地板２に取り付ける役目もしている。
【００２３】
次に、本実施例の作動を説明する。図１及び図２は、露光作動終了直後の状態を示したものである。そのため、先羽根の３枚の羽根１８〜２０は重畳されて、露光開口（開口部１ａ，２ａ，３ａ）の下方位置に格納され、後羽根の３枚の羽根２４〜２６は展開されて露光開口を覆っている。このようにして撮影が終了すると、セット部材１５が、図１に示した初期位置から、被押動部１５ｃをカメラ本体側の部材によって押され、図示していない復帰ばねの付勢力に抗して時計方向へ回転させられる。それによって、セット部材１５は、先ず、押動部１５ａが被押動部１３ａを押すことによって、先羽根用駆動部材１３を、先羽根用駆動ばねの付勢力に抗して反時計方向へ回転させはじめ、その直後から、押動部１５ｂが被押動部１４ａを押すことによって、後羽根用駆動部材１４を、後羽根用駆動ばねの付勢力に抗して反時計方向へ回転させはじめる。
【００２４】
そのため、先羽根の３枚の羽根１８〜２０は、隣接する羽根同士の重なりを小さくしつつ上方へ作動し、後羽根の３枚の羽根２４〜２６は、隣接する羽根同士の重なりを大きくしつつ上方へ作動していく。そして、先羽根の３枚の羽根１８〜２０が展開状態となって露光開口を覆い、後羽根の３枚の羽根２４〜２６が重畳状態となって露光開口の上方位置に格納された状態になると、各駆動部材１３，１４の鉄片部材が夫々の電磁石に接触するが、その段階になるとセット部材１５の回転は停止され、セット作動が終了する。そして、セット部材１５は、次の撮影が行われるまで、その位置に留まっている。図４は、そのときの状態を、撮像面側から見て示したものである。
【００２５】
次の撮影に際して、カメラのレリーズボタンが押されると、先ず、支持板１２に取り付けられている図示していない先羽根用電磁石と後羽根用電磁石に通電され、各駆動部材１３，１４が、それらの鉄片部材を介して吸着保持される。そうすると、カメラ本体側の部材による被押動部１５ｃに対する押圧力が解かれてゆき、セット部材１５は、図示していない復帰ばねの付勢力によって回転され、図１に示された初期位置へ復帰する。
【００２６】
そして、撮影が通常モードで行われた場合には、二つの電磁石に対する通電が、制御回路によって自動的に決められた時間間隔で順に断たれ、それによって、先羽根用駆動部材１３と後羽根用駆動部材１４とが、図示していない先羽根用駆動ばねと後羽根用駆動ばねの付勢力によって、撮影レンズ側から見た状態において時計方向へ回転させられる。そのため、先羽根の３枚の羽根１８〜２０は、隣接する羽根同士の重なりを大きくしつつ下方へ作動し、後羽根の３枚の羽根２４〜２６は、隣接する羽根同士の重なりを小さくしつつ下方へ作動するが、それによって、撮像素子の撮像面が、スリット形成羽根２０，２６によって形成されたスリットにより、露光されていく。
【００２７】
この露光作動中において、先羽根は、各連結軸の頭部が補助地板２に摺接して磨耗粉を発生させ、且つ各連結軸とアーム１６，１７との相互の回転によっても、アーム１６，１７の各孔と各連結軸の軸部との間、及びアーム１６，１７の平面部と各連結軸の頭部との間の摺接によって磨耗粉を発生させ、しかもスリット形成羽根２０の二つの枢支用連結軸の頭部は開口部２ａの下辺近傍に当接して磨耗紛を発生させるが、それらの発生時点では、殆どの磨耗紛は各連結軸の頭部近傍に付着したままとなっている。他方、後羽根の方は、各連結軸の頭部がシャッタ地板１に摺接して磨耗粉を発生させ、且つ各連結軸とアーム２２，２３との相互の回転によっても磨耗粉を発生させ、しかもアーム２３に対するスリット形成羽根２６の枢支用連結軸の頭部は開口部１ａの下辺近傍に当接して磨耗紛を発生させるが、それらの磨耗紛の場合にも、発生時点では、殆どのものが各連結軸の頭部近傍に付着したままとなっている。
【００２８】
このようにして露光作動が行われるが、先に作動を開始した先羽根は、スリット形成羽根２０のスリット形成縁（上辺）が露光開口の下方へ退いた段階で、先羽根用駆動部材１３の駆動ピン１３ｂが緩衝部材８に当接することによって停止させられる。続いて後羽根も、スリット形成羽根２６のスリット形成縁（下辺）が露光開口を完全に覆いきった段階で、後羽根用駆動部材１４の駆動ピン１４ｂが緩衝部材９に当接することによって停止させられる。
【００２９】
ところで、上記のようにして、先羽根用駆動部材１３と後羽根用駆動部材１４の各駆動ピン１３ｂ，１４ｂが緩衝部材８，９に当接したとき、先羽根及び後羽根は大きな衝撃を受け、露光作動中に各連結軸の頭部近傍に付着していた磨耗紛を飛散させる。そのとき、先羽根は、３枚の羽根１８〜２０が重畳されて露光開口の下方位置に格納状態となっているが、図２から分かるように、補助地板２には、全ての連結軸の頭部に対向する領域に粘着シート２８付き補強板２７が取り付けられているため、飛散した磨耗紛の多くは粘着シート２８に付着させられてしまう。そのため、開口部２ａを通過して撮像素子まで達し、その撮像面に付着するものはかなり少なくなる。
【００３０】
他方、後羽根の場合にも、露光作動の停止時に、衝撃を受けて磨耗紛を飛散させるが、そのようにして磨耗紛を飛散させたときには、各連結軸の頭部よりも中間板７側にある３枚の羽根２４〜２６が、既に中間板７の開口部７ａを覆っているため、撮像素子に飛来することはあり得ない。このようにして露光作動を終了した直後の状態が、図１及び図２に示された状態である。そして、この状態で、撮像情報が記憶装置へ転送されると、図１においてセット部材１５が、図示していないカメラ本体側の部材によって時計方向へ回転させられ、既に説明したセット作動が行われる。
【００３１】
尚、本実施例の場合には、粘着シート２８を補強板２７に貼付し、補強板２７と共に補助地板２に取り付けているが、本発明は、そのような構成に限定されない。補助地板２には貫通孔２ｈを形成せず、羽根室内において、その領域に粘着シート２８を貼付しても、同等の作用効果が得られる。また、粘着シートの大きさ及び形状は、上記の実施例の場合と同じである必要はなく、設計の都合によって適宜変形しても差し支えない。全ての連結軸の頭部に対向させる大きさにしなくても、その大きさに応じた効果を得ることが可能である。
【００３２】
また、粘着シート２８が、磨耗紛を好適に付着させることのできる期間は、発生する磨耗紛の量によってまちまちである。また、磨耗紛の量とは関係なく粘着機能が劣化していくということもある。そのため、本実施例のように構成した場合には、補助地板２をシャッタユニットから取り外すことなく、また、場合によってはシャッタユニットをカメラ本体から取り外すことなく、粘着シート２８の交換が行えるという利点がある。また、このように構成しておくと、シャッタユニットの製作時に、補助地板２をシャッタ地板に取り付けた後に、取り付けることができるので、最初から補助地板２に取り付けておく場合よりも、組立時における補助地板２の取り扱いが楽になる。
【００３３】
また、本実施例の場合には、粘着シート２８を補強板２７に貼付しておき、補強板２７と共に補助地板２に取り付けているが、粘着シート２８自体の取り扱いに問題がなければ、粘着シート２８のみを補助地板２に取り付けても差し支えない。また、補助地板２への取付け方も本実施例の構成に拘束されない。フック部２ｊを設けず、一つ又は複数のビスだけで取り付けても構わないし、本実施例におけるビス５は、粘着シート２８だけ又は補強板２７と共に補助地板２に取り付けるためのものとし、必要があれば、補助地板２をシャッタ地板１に取り付けるための手段を別途講じるようにしてもよい。
【００３４】
また、本実施例においては、先羽根と後羽根が、撮影時においては、上方から下方へ作動するように構成されている。しかしながら、この種のフォーカルプレンシャッタの中には、下方から上方へ作動するように構成されているものもある。本発明は、そのようなシャッタにも適用することができ、磨耗紛が落下し易いことを考えれば、実施例とは同等以上の作用効果を得ることが可能になる。
【００３５】
更に、本実施例は、便宜上、デジタルスチルカメラに採用される場合を前提にして説明した。しかしながら、磨耗紛に対する対策は、この種のシャッタが高級カメラに採用されることもあって、銀塩カメラに採用される場合であっても必要とされる場合がある。そのため、本発明は、デジタルスチルカメラに採用されるフォーカルプレンシャッタに限定されない。また、本実施例の説明においては、駆動部材１３，１４などを取り付けた地板をシャッタ地板と称し、他方の地板を補助地板と称した。しかしながら、この種のフォーカルプレンシャッタをデジタルスチルカメラに採用する場合は、駆動部材１３，１４などを撮像素子側の地板に取り付けた構成にすることがある。従って、そのように構成した場合には、撮像素子側の地板がシャッタ地板ということになるので、本発明においては、撮像素子側の地板が補助地板であるとは限らない。
【００３６】
【発明の効果】
以上のように、本発明によれば、先羽根と後羽根を備えていて、先羽根を撮像面側の羽根室に配置し、アームに羽根を枢支するための連結軸の頭部が撮像面側の地板に摺動する構成をしたフォーカルプレンシャッタであるにもかかわらず、粘着シートがその羽根室の好適な位置に配置されているので、主に連結軸の存在に起因して発生した磨耗紛が、露光作動の停止時の衝撃によって飛散し、撮像面に向けて進行するのを、好適に抑制することが可能となる。
【図面の簡単な説明】
【図１】撮影レンズ側から視た実施例の平面図であって、露光作動終了直後の状態を示したものである。
【図２】撮像面側から視た実施例の平面図であって、露光作動終了直後の状態を示したものである。
【図３】撮像面側から視た実施例の要部説明図である。
【図４】図２と同様にして視た実施例の平面図であって、セット状態を示したものである。
【符号の説明】
１　　　　　　　　　　　　　　シャッタ地板
１ａ，２ａ，７ａ　　　　　　　開口部
１ｂ，１ｃ，２ｅ　　　　　　　長孔
１ｄ，１ｅ，１ｆ，１ｇ，１ｈ，１ｉ，１ｊ　軸
１ｋ，１ｍ，２ｂ，２ｃ，２ｄ，２ｆ，２ｇ，２ｋ，２７ａ　孔
２　　　　　　　　　　　　　　補助地板
２ｈ　　　　　　　　　　　　　貫通孔
２ｉ　　　　　　　　　　　　　段部
２ｊ　　　　　　　　　　　　　フック部
３，４，５，６，１０，１１　　ビス
７　　　　　　　　　　　　　　中間板
８，９　　　　　　　　　　　　緩衝部材
１２　　　　　　　　　　　　　支持板
１３　　　　　　　　　　　　　先羽根用駆動部材
１３ａ，１４ａ　　　　　　　　被押動部
１３ｂ，１４ｂ　　　　　　　　駆動ピン
１３ｃ，１４ｃ　　　　　　　　取付部
１４　　　　　　　　　　　　　後羽根用駆動部材
１５　　　　　　　　　　　　　セット部材
１５ａ，１５ｂ　　　　　　　　押動部
１６，１７，２２，２３　　　　アーム
１８，１９，２０，２４，２５，２６　羽根
２１　　　　　　　　　　　　　連結軸
２７　　　　　　　　　　　　　補強板
２８　　　　　　　　　　　　　粘着シート
【図１】
2004038117.tif 000003
【図２】
2004038117.tif 000004
【図３】
2004038117.tif 000005
【図４】
2004038117.tif 000006